(57)【特許請求の範囲】
【請求項１】
旋回体と、この旋回体に取り付けられ、ブーム、アームと、平爪及び掘削爪のいずれかが選択的に取り付けられるアダプタを有するバケットとを含む作業装置と、上記旋回体に設けられた運転席と、上記運転席を覆うキャノピーと、上記運転席の前方位置に設けられた前手摺と、この前手摺に設けられ、上記平爪または上記掘削爪が収納される爪収納部とを備え、前記ブームが前記前手摺の前方の位置で前記旋回体に支持されたミニショベルにおいて、
上記爪収納部は、前記前手摺に固定された後面板と、この後面板に連設され下方に向って傾斜した傾斜板とを有し、
上記爪収納部の下方に、当該爪収納部の内部と外部とを連通させる開放部を設けたことを特徴とするミニショベル。
【請求項２】
請求項１に記載のミニショベルにおいて、
上記爪収納部は、上記前手摺に固定され前記後面板の前側位置に配置された前面板を有し、上記前面板の下端と上記傾斜板とによって上記開放部を形成したことを特徴とするミニショベル。
【請求項３】
請求項２に記載のミニショベルにおいて、
上記後面板と上記傾斜板とを別体に設けており、これらの後面板と傾斜板とを互いに締結する締結具を設けたことを特徴とするミニショベル。
【請求項４】
請求項２に記載のミニショベルにおいて、
上記爪収納部は、この爪収納部に収納された上記平爪の下端が係止される係止部を有することを特徴とするミニショベル。
【請求項５】
請求項２に記載のミニショベルにおいて、
上記傾斜板は、複数の穴部を有することを特徴とするミニショベル。
【発明の詳細な説明】
【技術分野】
【０００１】
本発明は、運転席の前方位置に設けられた前手摺に取り付けられ、平爪または掘削爪が収納される爪収納部を備えたミニショベルに関する。
【背景技術】
【０００２】
この種の従来技術として特許文献１に示されるものがある。この特許文献１には、小型機械であるミニショベルが開示されている。このミニショベルの運転席の前方位置に前手摺が設けられ、この前手摺に、バケットのアダプタに選択的に装着される平爪または掘削爪が収納される有底の爪収納部が取り付けられている。
【０００３】
例えば地面のならし作業を行うときには、バケットのアダプタに平爪が装着され、土砂等の掘削作業を行うときには、バケットのアダプタに平爪に代えて掘削爪が装着される。例えばバケットのアダプタに平爪が装着されるときには、バケットのアダプタから取り外された掘削爪が爪収納部に収納され、バケットのアダプタに掘削爪が装着されるときには、バケットのアダプタから取り外された平爪が爪収納部に収納される。
【先行技術文献】
【特許文献】
【０００４】
【特許文献１】特開２０１１−１２５１３号公報
【発明の概要】
【発明が解決しようとする課題】
【０００５】
上述した爪収納部を備えた従来技術にあって、掘削作業が行われる間、バケットに付着した土砂等の付着物や掘削対象の粒状物が爪収納部内へこぼれ落ちることがある。また、平爪や掘削爪に付着した付着物が、平爪や掘削爪の爪収納部への収納時に、爪収納部内において剥離することがある。これらによって従来技術は、爪収納部内に付着物や粒状物等の堆積物が堆積しやすい。
【０００６】
したがって従来技術は、爪収納部内に平爪や掘削爪を収納した際に、爪収納部内に堆積した堆積物によって平爪や掘削爪が浮き上がり、当該ミニショベルに作業に伴う大きな振動が伝えられたときなどに、爪収納部から平爪や掘削爪が飛び出して落下する懸念がある。また、爪収納部内の堆積物の除去が煩雑になり、この爪収納部に対する清掃作業の能率向上を見込めない問題もある。
【０００７】
本発明は、上述した従来技術における実情からなされたもので、その目的は、爪収納部内の堆積物を少なく抑えながら平爪または掘削爪を収納させることができるミニショベルを提供することにある。
【課題を解決するための手段】
【０００８】
この目的を達成するために、本発明は、旋回体と、この旋回体に取り付けられ、ブーム、アームと、平爪及び掘削爪のいずれかが選択的に取り付けられるアダプタを有するバケットとを含む作業装置と、上記旋回体に設けられた運転席と、上記運転席を覆うキャノピーと、上記運転席の前方位置に設けられた前手摺と、この前手摺に設けられ、上記平爪または上記掘削爪が収納される爪収納部とを備え、前記ブームが前記前手摺の前方の位置で前記旋回体に支持されたミニショベルにおいて、上記爪収納部は、前記前手摺に固定された後面板と、この後面版板に連設され下方に向って傾斜した傾斜板とを有し、上記爪収納部の下方に、当該爪収納部の内部と外部とを連通させる開放部を設けたことを特徴としている。
【０００９】
このように構成した本発明は、爪収納部の下方に、爪収納部の内部と外部とを連通させる開放部を設けてあることから、作業に伴ってバケットに付着している付着物、あるいは掘削対象の粒状物が爪収納部へこぼれ落ちても、また、平爪や掘削爪に付着している付着物が爪収納部内において剥がれ落ちても、それらの付着物や粒状物を後面板及び傾斜板によって円滑に下方へ案内して開放部から爪収納部の外部へ落下させることができる。すなわち本発明は、爪収納部内の堆積物を少なく抑えながら、爪収納部へ平爪または掘削爪を収納させることができる。
【００１０】
また本発明は、上記発明において、上記爪収納部は、上記前手摺に固定され前記後面板の前側位置に配置された前面板を有し、上記前面板の下端と上記傾斜板とによって上記開放部を形成したことを特徴としている。このように構成した本発明は、爪収納部へこぼれ落ちた付着物や粒状物、あるいは爪収納部内において剥がれ落ちた付着物を、前面板の下端と傾斜板によって形成した開口部から円滑に爪収納部の前側下方へ排出させることができる。
【００１１】
また本発明は、上記発明において、上記後面板と上記傾斜板とを別体に設け、これらの後面板と傾斜板とを互いに締結する締結具を設けたことを特徴としている。このように構成した本発明は、傾斜角度の異なる傾斜板を複数枚用意しておき、それらのいずれかを選択的に後面板に締結することにより、開放部の大きさを付着物に応じて調整することができる。
【００１２】
また本発明は、上記発明において、上記爪収納部は、この爪収納部に収納された上記平爪の下端が係止される係止部を有することを特徴としている。このように構成した本発明は、平爪を爪収納部に収納した際に、平爪の下端が係止部に係止されるので、平爪を安定した状態で爪収納部内に保持させることができる。
【００１３】
また本発明は、上記発明において、上記傾斜板は、複数の穴部を有することを特徴としている。このように構成した本発明は、爪収納部へこぼれ落ちた付着物や粒状物、あるいは爪収納部内において剥がれ落ちた付着物を傾斜板の複数の穴部からも外部へ落下させることができ、排出効率を高めることができる。
【発明の効果】
【００１４】
本発明は、爪収納部内の堆積物を少なく抑えながら、爪収納部へ平爪または掘削爪を収納させることができる。すなわち本発明は、平爪や掘削爪を従来のような堆積物に起因する浮き上がりによる落下の懸念無く、爪収納部に安定して保持させることができる。また、本発明は、爪収納部内の堆積物を少なく抑えることができるので、従来に比べて爪収納部の清掃が簡単になり、この爪収納部の清掃作業の能率を向上させることができる。
【図面の簡単な説明】
【００１５】
【図１】本発明に係るミニショベルの一実施形態を示す側面図である。
【図２】第１実施形態に係るミニショベルの正面図である。
【図３】第１実施形態に備えられる前手摺及び爪収納部を示す正面図である。
【図４】図３のＡ−Ａ断面図である。
【図５】図３のＢ−Ｂ断面図である。
【図６】第１実施形態に備えられる爪収納部に平爪を収納した状態を示す斜視図である。
【図７】図６の要部拡大側断面図である。
【図８】第１実施形態に備えられる爪収納部に掘削爪を収納する状態を示す斜視図である。
【図９】本発明の第２実施形態の要部を示す図で、（ａ）図は一部を破断して示した斜視図、（ｂ）図は（ａ）図の拡大側面図である。
【図１０】本発明の第３実施形態の要部を示す図で、（ａ）図は斜視図、（ｂ）図は（ａ）図の拡大側断面図である。
【図１１】本発明の第４実施形態の要部を示す図で、（ａ）図は一部を破断して示した斜視図、（ｂ）図は（ａ）図の拡大側断面図である。
【図１２】本発明の第５実施形態の要部を示す図で、爪収納部の一部を除いて示した図である。
【発明を実施するための形態】
【００１６】
以下、本発明に係るミニショベルの実施の形態を図面に基づいて説明する。
【００１７】
図１は本発明の一実施形態を構成するミニショベルを示す側面図、図２は第１実施形態に係るミニショベルの正面図である。
【００１８】
本発明に係るミニショベルは、図１，２に示すように、走行体１と、この走行体１上に配置される旋回体２と、この旋回体２に取り付けられ、上下方向に回動可能で、土砂の掘削作業、土砂のならし作業等を行う作業装置３とを備えている。走行体１及び旋回体２は、車体を構成している。作業装置３は、旋回体２に取り付けられるブーム４と、このブーム４の先端に取り付けられるアーム５と、このアーム５の先端に取り付けられるバケット６とを含んでいる。バケット６は、土砂等のならし作業に活用される後述の平爪２１及び土砂等の掘削作業に活用される掘削爪２５のいずれかが選択的に取り付けられるアダプタを有している。
【００１９】
旋回体２上には運転席７を配置してあり、この運転席７を覆うようにキャノピ８を設けてある。運転席７の前側位置には前手摺１０を取り付けてあり、運転席７の右側方には横手摺１１を取り付けてある。前手摺１０の下方位置には、平爪２１あるいは後述の掘削爪２５が収納される爪収納部２０を設けてある。なお、同図１，２に示すように、ブーム４は、前手摺１０の前方の位置で旋回体２に支持されている。
【００２０】
一般にミニショベルは、小型機械であることから機器搭載スペースに制約を受けている。これに伴って、前手摺１０を爪収納部２０の設置場所として活用している。また、前手摺１０の下方位置に爪収納部２０を設けたことにより、運転席７に座ったオペレータの操作時における作業視界を広く確保している。
【００２１】
図３は第１実施形態に備えられる前手摺及び爪収納部を示す正面図、図４は図３のＡ−Ａ断面図、図５は図３のＢ−Ｂ断面図、図６は第１実施形態に備えられる爪収納部に平爪を収納した状態を示す斜視図、図７は図６の要部拡大側断面図、図８は第１実施形態に備えられる爪収納部に掘削爪を収納する状態を示す斜視図である。
【００２２】
上述した前手摺１０は、例えばパイプ部材を折り曲げ形成して製作したものであり、図３，６に示すように、例えば第１立設部１０ａと、この第１立設部１０ａに連設された傾斜部１０ｂと、第１立設部１０ａに対向するように配置した第２立設部１０ｃと、傾斜部１０ｂ及び第２立設部１０ｃに連設され、水平方向に延びる横設部１０ｄとから成っている。第１立設部１０ａの下端１０ａ１及び第２立設部１０ｃの下端１０ｃ１は、保持板２２に溶接されている。図４に示すように、保持板２２は、複数のボルト穴２２ａ，２２ｂ，２２ｃ，２２ｄを有している。これらのボルト穴２２ａ〜２２ｄに挿入されたボルトによって、保持板２２は運転席７のフロアプレートに固定されている。
【００２３】
なお、前手摺１０の第１立設部１０ａには、前手摺１０と横手摺１１とを互いに固定する際に活用されるブラケット２４を取り付けてある。また、横設部１０ｄと、第２立設部１０ｃとにわたって、Ｌ字状の照明ブラケット２３を取り付けてある。この照明ブラケット２３に、当該ミニショベルの前方を照らす図示しない照明装置が取り付けられる。
【００２４】
この第１実施形態は、爪収納部２０の下方に、爪収納部２０の内部と外部とを連通させる開放部３０を設けてある。
【００２５】
図４，５に示すように、爪収納部２０は、前手摺１０に固定され前側位置に配置される長尺の前面板２０ａと、この前面板２０ａに対向して後側位置に配置され前手摺１０に固定される後面板２０ｂと、この後面板２０ｂに連設され、前側下方に向って傾斜する傾斜板２０ｃとを有している。後面板２０ｂと傾斜板２０ｃは、１枚の長尺の板材を折り曲げて製作してある。前面板２０ａの下端２０ａ３と傾斜板２０ｃとによって上述した開放部３０が形成されている。
【００２６】
図４に示すように、爪収納部２０の前面板２０ａの一方の端部を形成する折り曲げ部２０ａ１が前手摺１０の第１立設部１０ａに溶接され、他方の端部を形成する折り曲げ部２０ａ２が前手摺１０の第２立設部１０ｃに溶接されている。前面板２０ａに折り曲げ部２０ａ１，２０ａ２を形成して、これらの折り曲げ部２０ａ１，２０ａ２を、それぞれ第１立設部１０ａ、第２立設部１０ｃに溶接することにより、平爪２１及び掘削爪２５の収納空間が形成されている。また、爪収納部２０の後面板２０ｂの一方の端部２０ｂ１が前手摺１０の第１立設部１０ａに溶接され、他方の端部２０ｂ２が前手摺１０の第２立設部１０ｃに溶接されている。
【００２７】
図７に示すように、爪収納部２０に収納される平爪２１は、板部材２１ａと、この板部材２１ａに一体に設けられた爪部材２１ｂとから成っており、爪部材２１ｂがバケット６の上述したアダプタに装着される。この第１実施形態は、爪収納部２０の前面板２０ａと後面板２０ｂとの間隔を、爪収納部２０へ平爪２１が収納された際に、例えば板部材２１ａが前面板２０ａに押圧されて係止され、爪部材２１ｂが後面板２０ｂに係止されて保持される寸法に設定してある。これに伴い、同図７に示すように、平爪２１の板部材２１ａの下端２０ａ３が開放部３０に臨む保持形態となっている。
【００２８】
図８に示すように、平爪２１に代えて掘削爪２５が爪収納部２０に収納される場合は、掘削爪２５の前側部分、及び後側部分が、爪収納部２０の前面板２０ａと後面板２０ｂとによって保持され、掘削爪２５の下端が爪収納部２０の傾斜板２０ｃに係止されるようになっている。
【００２９】
このように構成した第１実施形態は、爪収納部２０の下方に、爪収納部２０の内部と外部とを連通させる開放部３０を設けてあることから、作業に伴ってバケット６に付着している付着物、あるいは掘削対象の粒状物が爪収納部２０へこぼれ落ちても、また、平爪２１や掘削爪２５に付着している付着物が爪収納部２０内において剥がれ落ちても、それらの付着物や粒状物を開放部３０から爪収納部２０の外部へ落下させることができる。すなわち、この第１実施形態は、爪収納部２０の堆積物を少なく抑えながら、爪収納部２０へ平爪２１または掘削爪２５を収納させることができる。
【００３０】
これにより第１実施形態は、平爪２１や掘削爪２５の堆積物に起因する浮き上がりによる落下の懸念無く、爪収納部２０に安定して保持させることができる。また、この第１実施形態は、爪収納部２０の堆積物を少なく抑えることができるので、爪収納部２０の清掃が簡単になり、この爪収納部２０の清掃作業の能率を向上させることができる。
【００３１】
また、この第１実施形態は、爪収納部２０へこぼれ落ちた付着物や粒状物、あるいは爪収納部２０内において剥がれ落ちた付着物を、傾斜板２０ｃによって円滑に爪収納部２０の前側下方へ排出させることができる。
【００３２】
図９は本発明の第２実施形態の要部を示す図で、（ａ）図は一部を破断して示した斜視図、（ｂ）図は（ａ）図の拡大側面図である。
【００３３】
この図９に示す第２実施形態は、爪収納部２０を構成する後面板２０ｂと傾斜板２０ｃとを別体に設け、これらの後面板２０ｂと傾斜板２０ｃとを互いに締結する締結具、例えば複数のボルト２６を設けてある。その他の構成は、上述した第１実施形態と同等である。
【００３４】
このように構成した第２実施形態は、第１実施形態と同等の作用効果が得られる他、傾斜角度の異なる傾斜板２０ｃを複数枚用意しておき、それらのいずれかを選択的に後面板２０ｂに締結することにより、開放部３０の大きさを付着物に応じて調整することができる。
【００３５】
図１０は本発明の第３実施形態の要部を示す図で、（ａ）図は斜視図、（ｂ）図は（ａ）図の拡大側断面図、図１１は本発明の第４実施形態の要部を示す図で、（ａ）図は一部を破断して示した斜視図、（ｂ）図は（ａ）図の拡大側断面図である。
【００３６】
これらの図１１，１２に示す第３実施形態、第４実施形態は、爪収納部２０が、この爪収納部２０に収納された平爪２１の下端２１ａ１が係止される係止部を有している。その他の構成は上述した第１実施形態と同等である。
【００３７】
図１０に示す第３実施形態は、爪収納部２０の前面板２０ａの下端に、爪収納部２０に収納された平爪２１の下端２１ａ１が係止される係止部、すなわち係止片２０ｄを備えている。
【００３８】
図１１に示す第４実施形態は、爪収納部２０の後面板２０ｂと傾斜板２０ｃとの境界部に、平爪２１の板部材２１ａの下端２１ａ１が係止される係止部、すなわち係止段部２０ｅを形成してある。
【００３９】
これらの図１０，１１に示す第３実施形態及び第４実施形態にあっては、第１実施形態と同等の作用効果が得られる他、平爪２１を爪収納部２０に収納した際に、平爪２１の板部材２１ａの下端２１ａ１が、係止片２０ｄあるいは係止段部２０ｅに係止されるので、平爪２１を安定して状態で爪収納部２０内に保持させることができる。
【００４０】
図１２は本発明の第５実施形態の要部を示す図で、爪収納部の一部を除いて示した図である。なお、この図１２は、傾斜板２０ｃを明確にするために、爪収納部２０の前面板２０ａを除いて示したものである。
【００４１】
この図１２に示す第５実施形態は、傾斜板２０ｃが複数の穴部２０ｃ１を有している。その他の構成は上述した第１実施形態と同等である。
【００４２】
この第５実施形態にあっては、第１実施形態と同等の作用効果が得られる他、爪収納部２０へこぼれ落ちた付着物や粒状物、あるいは爪収納部２０内において剥がれ落ちた付着物を傾斜板２０ｃの複数の穴部２０ｃ１からも外部へ落下させることができ、付着物あるいは粒状物の排出効率を高めることができる。
【符号の説明】
【００４３】
２    旋回体（車体）
３    作業装置
６    バケット
７    運転席
１０    前手摺
１０ａ  第１立設部
１０ｃ  第２立設部
２０    爪収納部
２０ａ  前面板
２０ａ１  折り曲げ部
２０ａ２  折り曲げ部
２０ａ３  下端
２０ｂ  後面板
２０ｂ１  端部
２０ｂ２  端部
２０ｃ  傾斜板
２０ｃ１  穴部
２０ｄ  係止片（係止部）
２０ｅ  係止段部（係止部）
２１    平爪
２１ａ  板部材
２１ａ１  下端
２１ｂ  爪部材
２５    掘削爪
２６    ボルト（締結具）
３０    開放部
【図１】
0005984773.tif 000002
【図２】
0005984773.tif 000003
【図３】
0005984773.tif 000004
【図４】
0005984773.tif 000005
【図５】
0005984773.tif 000006
【図６】
0005984773.tif 000007
【図７】
0005984773.tif 000008
【図８】
0005984773.tif 000009
【図９】
0005984773.tif 000010
【図１０】
0005984773.tif 000011
【図１１】
0005984773.tif 000012
【図１２】
0005984773.tif 000013